(57)【要約】ＢＰＦ２における群遅延特性と逆特性の群遅延特性を有する逆群遅延特性フィルタ３を用いて、ＢＰＦ２による群遅延特性の劣化を補償するようにする。
2002091612.tif 000002
【特許請求の範囲】
【請求項１】
歪み発生機器より発生される歪み成分を除去する帯域フィルタを備えた歪み除去装置において、上記帯域フィルタにおける群遅延特性と逆特性の群遅延特性を有する逆群遅延特性フィルタを用いて、上記帯域フィルタによる群遅延特性の劣化を補償することを特徴とする歪み除去装置。
【請求項２】
帯域フィルタが帯域通過フィルタであることを特徴とする請求の範囲第１項記載の歪み除去装置。
【請求項３】
帯域フィルタが帯域除去フィルタであることを特徴とする請求の範囲第１項記載の歪み除去装置。
【請求項４】
歪み発生機器が増幅器であることを特徴とする請求の範囲第１項記載の歪み除去装置。
【請求項５】
歪み発生機器がＰＨＳ基地局であることを特徴とする請求の範囲第１項記載の歪み除去装置。
【請求項６】
歪み発生機器が変調器であることを特徴とする請求の範囲第１項記載の歪み除去装置。
【請求項７】
逆群遅延特性フィルタをデジタル信号処理部に設置することを特徴とする請求の範囲第６項記載の歪み除去装置。
【請求項８】
歪み発生機器がフィードフォワード増幅器のメインアンプであることを特徴とする請求の範囲第１項記載の歪み除去装置。
【請求項９】
帯域フィルタを用いて歪み発生機器より発生される歪み成分を除去する歪み除去方法において、上記帯域フィルタにおける群遅延特性と逆特性の群遅延特性を有する逆群遅延特性フィルタを用いて、上記帯域通過フィルタによる群遅延特性の劣化を補償することを特徴とする歪み除去方法。
【発明の詳細な説明】
技術分野
この発明は、歪み発生機器より発生される歪み成分を除去する歪み除去装置及び歪み除去方法に関するものである。
背景技術
第１図は従来の歪み除去装置を示す構成図であり、図において、１は入力信号を増幅する増幅器、２は増幅器１より発生される相互変調歪み成分を除去する帯域通過フィルタ（以下、ＢＰＦという）である。
次に動作について説明する。
増幅器１は入力信号を増幅する際、相互変調歪み成分を発生する。そのため、増幅器１の後段にＢＰＦ２を設置して、その相互変調歪み成分を除去するようにしている。
なお、妨害波除去効果を高めて相互変調歪み成分を精度よく除去するためには、ＢＰＦ２が急峻な減衰特性を有している必要がある。
従来の歪み除去装置は以上のように構成されているので、増幅器１より発生される相互変調歪み成分を除去することができるが、ＢＰＦ２が急峻な減衰特性を有しているため群遅延特性が劣化する課題があった。
なお、群遅延特性の劣化は、後段の装置の変調精度や受信感度の劣化要因となる。
この発明は上記のような課題を解決するためになされたもので、群遅延特性の劣化を招くことなく、歪み発生機器より発生される歪み成分を除去することができる歪み除去装置及び歪み除去方法を得ることを目的とする。
発明の開示
この発明に係る歪み除去装置は、帯域フィルタにおける群遅延特性と逆特性の群遅延特性を有する逆群遅延特性フィルタを用いて、帯域フィルタによる群遅延特性の劣化を補償するようにしたものである。
このことによって、群遅延特性の劣化を招くことなく、歪み発生機器より発生される歪み成分を除去することができる効果がある。
この発明に係る歪み除去装置は、帯域フィルタが帯域通過フィルタであるようにしたものである。
このことによって、構成の複雑化を招くことなく、歪み成分を除去することができる効果がある。
この発明に係る歪み除去装置は、帯域フィルタが帯域除去フィルタであるようにしたものである。
このことによって、構成の複雑化を招くことなく、歪み成分を除去することができる効果がある。
この発明に係る歪み除去装置は、歪み発生機器が増幅器であるようにしたものである。
このことによって、増幅器より発生される歪み成分を除去することができる効果がある。
この発明に係る歪み除去装置は、歪み発生機器がＰＨＳ基地局であるようにしたものである。
このことによって、ＰＨＳ基地局より発生される歪み成分を除去することができる効果がある。
この発明に係る歪み除去装置は、歪み発生機器が変調器であるようにしたものである。
このことによって、変調器より発生される歪み成分を除去することができる効果がある。
この発明に係る歪み除去装置は、逆群遅延特性フィルタをデジタル信号処理部に設置するようにしたものである。
このことによって、理想的な群遅延補正特性を追求することができる効果がある。
この発明に係る歪み除去装置は、歪み発生機器がフィードフォワード増幅器のメインアンプであるようにしたものである。
このことによって、フィードフォワード増幅器のメインアンプより発生される歪み成分を除去することができる効果がある。
この発明に係る歪み除去方法は、帯域フィルタにおける群遅延特性と逆特性の群遅延特性を有する逆群遅延特性フィルタを用いて、帯域通過フィルタによる群遅延特性の劣化を補償するようにしたものである。
このことによって、群遅延特性の劣化を招くことなく、歪み発生機器より発生される歪み成分を除去することができる効果がある。
発明を実施するための最良の形態
以下、この発明をより詳細に説明するために、この発明を実施するための最良の形態について、添付の図面に従って説明する。
実施の形態１．
第２図はこの発明の実施の形態１による歪み除去装置を示す構成図であり、図において、１は入力信号を増幅する増幅器（歪み発生機器）、２は増幅器１より発生される相互変調歪み成分を除去する帯域通過フィルタ（以下、ＢＰＦという）、３はＢＰＦ２における群遅延特性（第３図を参照）と逆特性の群遅延特性（第４図を参照）を有する逆群遅延特性フィルタであり、逆群遅延特性フィルタ３はＢＰＦ２による群遅延特性の劣化を補償する。
第５図はこの発明の実施の形態１による歪み除去方法を示すフローチャートである。
次に動作について説明する。
増幅器１は入力信号を増幅する際、相互変調歪み成分を発生する。そのため、増幅器１の後段にＢＰＦ２を設置して、その相互変調歪み成分を除去するようにしている（ステップＳＴ１）。
ただし、妨害波除去効果を高めて相互変調歪み成分を精度よく除去するためには、ＢＰＦ２が急峻な減衰特性を有している必要があるが、ＢＰＦ２が急峻な減衰特性を有していると、群遅延特性が劣化する。
そこで、この実施の形態１では、ＢＰＦ２における群遅延特性（第３図を参照）と逆特性の群遅延特性（第４図を参照）を有する逆群遅延特性フィルタ３を増幅器１の前段に設置して、ＢＰＦ２による群遅延特性の劣化を補償するようにしている（ステップＳＴ２）。
以上で明らかなように、この実施の形態１によれば、ＢＰＦ２における群遅延特性と逆特性の群遅延特性を有する逆群遅延特性フィルタ３を用いて、ＢＰＦ２による群遅延特性の劣化を補償するように構成したので、群遅延特性の劣化を招くことなく、増幅器１より発生される歪み成分を除去することができる効果を奏する。
実施の形態２．
上記実施の形態１では、ＢＰＦ２を増幅器１の後段に設置するものについて示したが、これに限るものではなく、ＢＰＦ２を増幅器１の前段に設置してもよい。
また、上記実施の形態１では、逆群遅延特性フィルタ３を増幅器１の前段に設置するものについて示したが、これに限るものではなく、逆群遅延特性フィルタ３を増幅器１の後段に設置してもよい。
実施の形態３．
上記実施の形態１，２では、ＢＰＦ２が増幅器１より発生される相互変調歪み成分を除去するものについて示したが、第６図に示すように、帯域除去フィルタであるノッチフィルタ４が増幅器１より発生される相互変調歪み成分を除去するようにしてもよい。
なお、この場合、逆群遅延特性フィルタ３はノッチフィルタ４における群遅延特性と逆特性の群遅延特性を有する。
実施の形態４．
上記実施の形態１〜３では、ＢＰＦ２が増幅器１より発生される相互変調歪み成分を除去するものについて示したが、第７図に示すように、ＰＨＳ基地局５より発生される相互変調歪み成分を除去するようにしてもよい。
即ち、Ｗ−ＣＤＭＡシステムの上り回線周波数が既存のＰＨＳシステムの使用周波数帯域に隣接しているため、ＰＨＳ帯域からＷ−ＣＤＭＡ帯域への妨害と、Ｗ−ＣＤＭＡ帯域からＰＨＳ帯域への妨害を回避する必要がある。
そこで、このような妨害を回避するため、ＰＨＳ基地局５とアンテナ６の間にＢＰＦ２を設置する。
しかし、ＢＰＦ２を設置すると、上述したように群遅延特性が劣化するので、逆群遅延特性フィルタ３を設置して、群遅延特性の劣化を補償する。
実施の形態５．
上記実施の形態１〜３では、ＢＰＦ２が増幅器１より発生される相互変調歪み成分を除去するものについて示したが、第８図及び第９図に示すように、変調器７より発生される相互変調歪み成分を除去するようにしてもよい。
即ち、変調器７は、所望の変調信号以外に雑音などを出力するため、ノイズフロアが上昇して隣接チャネルの漏洩電力を増加させてしまうことがある。
そこで、後段の増幅器により歪みやノイズが付加される前に当該雑音を除去するために、ＢＰＦ２を設置する。
しかし、ＢＰＦ２を設置すると、上述したように群遅延特性が劣化するので、逆群遅延特性フィルタ３を設置して、群遅延特性の劣化を補償する。
実施の形態６．
上記実施の形態５では、逆群遅延特性フィルタ３を変調器７の前段又は後段に設置するものについて示したが、第１０図に示すように、逆群遅延特性フィルタ３をＤ／Ａコンバータ８の前段であるデジタル信号処理部に設置するようにしてもよい。
これにより、逆群遅延特性フィルタ３をデジタルフィルタとして搭載することが可能になるので、理想的な群遅延補正特性を追求することができる効果を奏する。
実施の形態７．
上記実施の形態１〜３では、ＢＰＦ２が増幅器１より発生される相互変調歪み成分を除去するものについて示したが、第１１図に示すように、フィードフォワード増幅器のメインアンプ９より発生される相互変調歪み成分を除去するようにしてもよい。
即ち、フィードフォワード増幅器の消費電力を下げるには、メインアンプ９の歪み電力を下げて補助アンプ１０の飽和電力を小さくする方法がある。
メインアンプ９の歪み電力を下げるには、低歪整合やプリディストーションなどが考えられるが、既にこの手の対策は施されており、更なる低歪化対策は困難である。
そこで、メインアンプ９の歪み電力を除去するため、メインアンプ９の後段にＢＰＦ２を設置する。
しかし、ＢＰＦ２を設置すると、上述したように群遅延特性が劣化するので、逆群遅延特性フィルタ３を設置して、群遅延特性の劣化を補償する。
産業上の利用可能性
以上のように、この発明に係る歪み除去装置及び歪み除去方法は、歪み発生機器より発生される歪み成分を除去するに際して、群遅延特性の劣化を抑制するものに適している。
【図面の簡単な説明】
第１図は従来の歪み除去装置を示す構成図である。
第２図はこの発明の実施の形態１による歪み除去装置を示す構成図である。
第３図はＢＰＦ２の群遅延特性を示す特性図である。
第４図は逆群遅延特性フィルタ３の群遅延特性を示す特性図である。
第５図はこの発明の実施の形態１による歪み除去方法を示すフローチャートである。
第６図はこの発明の実施の形態３による歪み除去装置を示す構成図である。
第７図はこの発明の実施の形態４による歪み除去装置を示す構成図である。
第８図はこの発明の実施の形態５による歪み除去装置を示す構成図である。
第９図はこの発明の実施の形態５による歪み除去装置を示す構成図である。
第１０図はこの発明の実施の形態６による歪み除去装置を示す構成図である。
第１１図はこの発明の実施の形態７による歪み除去装置を示す構成図である。
【図１】
2002091612.tif 000003
【図２】
2002091612.tif 000004
【図３】
2002091612.tif 000005
【図４】
2002091612.tif 000006
【図５】
2002091612.tif 000007
【図６】
2002091612.tif 000008
【図７】
2002091612.tif 000009
【図８】
2002091612.tif 000010
【図９】
2002091612.tif 000011
【図１０】
2002091612.tif 000012
【図１１】
2002091612.tif 000013
【国際調査報告】
2002091612.tif 000014
2002091612.tif 000015
2002091612.tif 000016
2002091612.tif 000017